(57)【特許請求の範囲】
【請求項１】
底すぼまりの勾配のある側壁を有する収納部と、
前記収納部に収納されるカップホルダーからなる着脱式カップホルダーの構造であって、
前記カップホルダーは、
上面視略方形の上板部と、
前記上板部に形成された開口部と、
前記開口部に連続して形成された凹み部と、
前記上板部の一辺から下方に向かって延設された縦壁とを有し、
前記カップホルダーを前記収納部の開口縁に掛止する際には、前記凹み部の外面と前記縦壁との隙間が開いて前記収納部の開口縁を挟持し、
前記カップホルダーを前記収納部の底面に入れた際には、
前記凹み部の外面と前記縦壁との隙間が押し込まれて縦壁を押圧することを特徴とする着脱式カップホルダーの構造。 
【発明の詳細な説明】
【技術分野】
【０００１】
本発明は、自動車等の車両の車内で、飲料水等の容器を保持するカップホルダーに関するものであり、より詳しくはカップホルダーが備え付けられる例えばコンソールなどから着脱可能なカップホルダーの構造に関する。
【背景技術】
【０００２】
近年では、自動車等の車両は、単に移動のための手段としてだけではなく、移動中の車内で快適に過ごせるための居住性が求められる。この居住性は、車内のインテリア・デザインや、シートの構造、映像音響といった設備とともに、飲食のための設備も含まれる。飲食のための簡便な設備としては、飲料容器のホルダー（以後「カップホルダー」と呼ぶ）が挙げられる。
【０００３】
このような車室内で用いるカップホルダーには、配置場所によって様々な形態が提案されている。車両の運転席と助手席の間にあるセンターコンソールには、比較的スペース的な余裕があり、助手席の前面側に設けられたグローブボックスと共に、小物入れとしての空間が設けられる場合が多い。そして、このセンターコンソールで用いるカップホルダーも提案されている。
【０００４】
センターコンソールは、主として、長方形の凹みで形成される空間があり、そのままでも飲料水の容器を入れることは可能である。しかし、容器から液体がこぼれないように保持するためには、容器とほぼ同じ断面積のホルダーを備え付ける必要がある。センターコンソール内の空間をカップホルダー用として仕切るという事は可能である。しかし、そうするとセンターコンソール内の空間を広く使用したい場合の利便性が極めて低くなる。
【０００５】
そこで、センターコンソールをより自由に使用可能にする提案が従来からなされている。特許文献３は、コンソールボックス内に移動可能な仕切板を組み込んだものである。コンソールボックスの底面の両側隅には、ガイド用の溝が形成されており、仕切板の下辺に仕切板に対して直角方向に摺動板が設けられている。このような構成で、摺動板をガイド用の溝にはめ込むことで、コンソールボックス内で仕切板が移動可能に支持される。
【０００６】
また、特許文献１は、コンソールボックスに着脱可能なカップホルダーを開示している。特許文献１では、シートの前後移動によって、カップの位置を調整できるように、長方形のトレイの半分より偏った位置にカップホルダーを形成したものを提供する。このカップホルダーは、トレイをコンソールに取り付ける際に１８０度回転させることによって、カップホルダーの位置が前後の２箇所の位置に変更することができる。
【０００７】
また、特許文献２は、同じくコンソールボックスに着脱可能なカップホルダーを開示している。特許文献２は、コンソールボックスに設けられたカップホルダーに入れ子になるように２個目のカップホルダーが重ねて収容されており、１つのカップホルダーを使用する際は、重ねた上側のカップホルダーをそのまま使用し、２つのカップホルダーを使用する際は、上側のカップホルダーを取り出し、コンソールボックスの前部の溝に取り出したカップホルダーの突起を差し込んで係止することで、同時に２つのカップホルダーを使用可能にする発明が開示されている。
【先行技術文献】
【特許文献】
【０００８】
【特許文献１】特開２００２−３１６５７２号公報
【特許文献２】特開２００４−１１４７６６号公報
【特許文献３】実開平５−３２１３４号公報
【発明の概要】
【発明が解決しようとする課題】
【０００９】
特許文献３の移動可能な仕切板は、コンソールボックス内の広い空間を自由に使用できるという効果を奏することができるが、カップホルダーとして使用する際は、コンソールボックス内の前後いずれかの壁を利用せざる得ないので、２箇所のカップホルダーがあるのと実質同じである。また、コンソールボックス以外の空間を使用することはできない。特許文献１は、カップホルダーの位置を変更できる点では、特許文献３と同じである。
【００１０】
特許文献２は、カップホルダーをコンソールボックスの縁に掛止して使用することで、コンソールボックス以外の空間を使用している。しかし、コンソールボックスで確保される空間をカップホルダーとして占有している点で、利便性が高いとは言えない。
【００１１】
車室内という狭い空間を効果的に利用して居住性を高めるためには、広い空間の確保と共に、広い空間をいかに効果的に利用できるかが常に問題となる。その観点からは、上記の従来技術には、高い利便性を有するカップホルダーを提供しているとはいえない。具体的には、広く確保されたコンソールボックスを、広く使いたい時は、そのまま使用することができ、コップ等の飲料容器を保持するカップホルダーとして利用する際は、その設定位置を自由に設定でき、また、コンソールボックス以外の空間もカップホルダーとして利用できるような利便性を提供できない。
【課題を解決するための手段】
【００１２】
本発明は上記課題に鑑みて相当されたものであり、広く確保されたコンソールボックスを、広く使いたい時は、そのまま使用することができ、コップ等の飲料容器を保持するカップホルダーとして利用する際は、その設定位置を自由に設定でき、また、コンソールボックス以外の空間もカップホルダーとして利用できる着脱式カップホルダーの構造を提供するものである。
【００１３】
より具体的に、本発明の着脱式カップホルダーの構造は、
底すぼまりの勾配のある側壁を有する収納部と、
前記収納部に収納されるカップホルダーからなる着脱式カップホルダーの構造であって、
前記カップホルダーは、
上面視略方形の上板部と、
前記上板部に形成された開口部と、
前記開口部に連続して形成された凹み部と、
前記上板部の一辺から下方に向かって延設された縦壁とを有し、
前記カップホルダーを前記収納部の開口縁に掛止する際には、前記凹み部の外面と前記縦壁との隙間が開いて前記収納部の開口縁を挟持し、
前記カップホルダーを前記収納部の底面に入れた際には、
前記凹み部の外面と前記縦壁との隙間が押し込まれて縦壁を押圧することを特徴とする。
【発明の効果】
【００１４】
本発明の着脱式カップホルダーの構造は、コンソールボックスに設けられた空間を収納部として、その収納部の形状と、カップホルダーの形状を関係付けている。カップホルダーは、飲料容器を保持する凹み部が上板部に開口を有して形成されていると共に、側面に縦壁を有している。そして、縦壁から上板部の対辺までの長さが収納部の幅より狭いので、カップホルダーを収納部の底まで押し込むと、縦壁が凹み部側に変形される。すなわち、縦壁と凹み部の外面との隙間が押し込まれる。そのため常に収納部の側面を付勢するため、収納部の中でカップホルダーが保持される。
【００１５】
しかし、カップホルダーは、収納部の内側面を付勢するだけで固定されるので、容易にその位置を移動させることができる。
【００１６】
また、縦壁と凹み部の外面の隙間が収納部の開口縁幅より狭いので、カップホルダーを収納部から取り出し、収納部の縁に掛止すると、縦壁と凹み部の外面が収納部の側壁を把持する。すなわち、凹み部の外面と縦壁との隙間が開いて収納部の開口縁を把持する。そのため、カップホルダーを収納部以外の空間で使用することができる。
【図面の簡単な説明】
【００１７】
【図１】本発明の着脱式カップホルダーの構造を示す斜視図である。
【図２】本発明を構成するカップホルダーの構造を示す図である。
【図３】本発明の着脱式カップホルダーの断面を示す図である。
【発明を実施するための形態】
【００１８】
以下、図面を参照しながら本発明を説明する。なお、以下の説明は本発明の一実施形態を例示するものであり、本発明の趣旨を逸脱しない限りにおいて、下記の実施形態を変形してもよい。
【００１９】
図１は、本発明の着脱式カップホルダーの構造１を示す一部透視部分を有する斜視図である。本発明の着脱式カップホルダーの構造１は、収納部２とカップホルダー３から構成される。
【００２０】
収納部２は、車両のセンターコンソールに備え付けられている場合を示すが、特にセンターコンソールに限定されるものではなく、グローブボックスや、その他の場所に形成されていてもよい。また、収納部２には蓋２１がついていてもよい。
【００２１】
収納部２は、略方形で上面に開口した容器型の空間である。短い方の辺の壁１１、１２の形状は特に限定されない。しかし長い方の辺の壁１３、１４は平行に形成されている。本発明の着脱式カップホルダーの構造１では、この長い方の辺に沿ってカップホルダー３の位置を変更することができるようにするためである。なお、以後の説明では、説明の便宜上、短い方の辺の壁をそれぞれ前内壁１１、後内壁１２、長い方の辺の壁を左内側壁１３、右内側壁１４と呼ぶ。
【００２２】
収納部２の底面１５は平らに形成されているのが好ましい。どのような利用方法にも対応できるからである。収納部２の開口１０の周辺は開口縁が形成されている。左右内側壁１３、１４の側の開口縁は開口縁１７、１８であり、この開口縁の幅を開口縁幅１７ｗ、１８ｗと呼ぶ。開口縁に続いて外壁１７ｇ、１８ｇが形成され、収納部２の側面側を形成する。
【００２３】
収納部２の前内壁１１の開口縁１９からは、下方に下る前方外壁１９ｇが形成される。また収納部２の後内壁１２の開口縁２０には、収納部２の蓋２１が枢支されている。しかし、本発明の着脱式カップホルダーの構造１では、この開口縁１９、２０およびそれに続く外壁等の形状は特に限定されるものではない。
【００２４】
収納部２の左右内側壁１３、１４は、開口縁から底面１５に向かって勾配が形成されている。図３には、図１の収納部２のＡ−Ａ断面を示す。図３を参照して、この勾配について言い換えると、開口１０（幅１０ｗ）から底面１５（幅１５ｗ）に向かって、幅が除々に短くなり、底すぼまりの勾配がついた状態になっている。
【００２５】
図２に、本発明を構成するカップホルダー３の外観を示す。図２（ｂ）は図２（ａ）の裏側から見た斜視図である。本発明を構成するカップホルダー３は、略方形の上板部３１と、上板部３１に形成された開口部３２と、開口部３２に連続して形成された凹み部３３と、上板部３１の一辺から下方に向かって延設された縦壁３４、３５を有している。
【００２６】
上板部３１に設けられた開口部３２から連続して形成された凹み部３３は、飲料容器を保持するための凹みである。従って開口部３２の直径は、市販のペットボトルや、紙コップが入る程度の大きさであり、なおかつ大きすぎない程度であるのが好ましい。開口部３２が大きすぎると、中で保持する飲料容器との間で隙間が生じ、飲料容器が傾いて内容液体がこぼれるおそれがあるからである。具体的には、７５ｍｍから８０ｍｍ程度が好ましい。
【００２７】
凹み部３３の深さは、紙コップ等を保持させた際に、コップの縁が掴める程度の深さであり、なおかつペットボトルが転倒しないように保持できる程度の深さが好ましい。具体的には、６０ｍｍ程度が好ましい。
【００２８】
凹み部３３は、円柱状であってよいが、中に入れた飲料容器を固定させるために、傾斜のついたリブや、内壁面が多少中心に向かって傾斜を有して居てもよい。
【００２９】
上板部３１には、少なくともその１辺に下方に向かう縦壁３４、３５を有する。縦壁３４、３５は、カップホルダー３を収納部２の内部や、開口縁１７、１８に係止する際に付勢を生み出す部分である。形状は特に限定されないが、できるだけ面積が広くなるのが好ましい。また、上板部３１から凹み部３３の底に至るまでの長さを有しているのが望ましい。縦壁３４、３５の隅３４Ｅ、３５Ｅは、収納部２の中で、カップホルダーが前後に転倒しないための支持点となるからである。
【００３０】
なお、縦壁３４、３５が形成された辺の対辺には、短い返し４４、４５を設けることもできる。返し４４、４５の存在によって、収納部２の左右内側壁１３、１４に対する付勢がより効果的に与えられるからである。
【００３１】
図２（ｃ）には、カップホルダー３の上面視した場合の図を示す。縦壁３４、と縦壁３５は、互いに直角に隣接する辺同士に形成する。収納部２に入れる際に、向きに関係なく、付勢がかかるためである。また、縦壁３４は、縦壁３５と凹み部３３の外面との間の隙間３６が確保できるような幅と位置に形成される。同じように、縦壁３５は、縦壁３４と凹み部３３の外面との間の隙間３７が確保できるような幅と位置に形成される。これは後述するようにこの隙間３６、３７で収納部２の開口縁１７、１８を把持する際に、互いの縦壁が干渉しないためである。
【００３２】
また、これらの隙間３６、３７は、収納部２の開口縁幅１７ｗ、１８ｗより狭く設定されているのが望ましい。カップホルダー３のこの隙間によって開口縁を把持することで、カップホルダー３を収納部２の外側に掛止して利用するためである。しかし、縦壁３５と凹み部３３の外面との隙間３６、３７が開口縁を把持できれば、開口縁幅１７ｗ、１８ｗより広く設定されていてもよい。なお、返し４４、４５を設けた場合は、同じように隙間４６、４７を設ける必要がある。
【００３３】
図２（ｄ）には、上板部３１が方形の場合について示す。上板部３１が方形の場合は、凹み部３３は上板部３１の中心から一方の端に偏って形成される。収納部２に納める際に１８０度方向を変える事で、カップホルダー３の位置を調整しやすくするためである。また、この場合は、縦壁３８は、いずれかの長い辺に設けるだけでよい。また、返し４８を設けることもできる。
【００３４】
図２（ｃ）に戻って、上板部３１の幅３１ｗは、縦壁が形成された辺から、その辺の対辺までの長さをいう。この上板部３１の幅３１ｗは、収納部の底面１５における左右内側壁１３、１４間の幅１５ｗより広く設定されている。つまり、収納部の底面１５までカップホルダー３を押しこむと、縦壁とその対辺が圧縮され、縦壁が内側に変形する。すなわち、縦壁と凹み部３３の外面との隙間が押し込まれる。
【００３５】
図３を参照して、カップホルダー３を収納部２の底面１５まで押し込んだ場合は、縦壁３４が、凹み部３３側に変形する様子を示している。この縦壁３４の変形によって、カップホルダー３は、収納部２の左右内側壁１３、１４に対して付勢され、係止される。
【００３６】
図１を再度参照して、上記の付勢力によってカップホルダー３は、収納部２内で係止される。しかし、縦壁３４の変形による程度の付勢であるので、容易に位置を移動させることができる。つまり、収納部２内において、自由に位置を変更することができる。
【００３７】
図３を再度参照して、また、すでに説明したように、カップホルダー３を収納部２の開口縁に掛止する場合は、カップホルダー３の隙間（３６もしくは３７）を開口縁に差し込む。この場合は、縦壁は、凹み部３３の外面から離れるように変形を受ける。つまり、開口縁を把持するように付勢がかかる。さらに言い換えると、凹み部３３の外面と縦壁との隙間が開いて収納部の開口縁を把持する。このように付勢を掛けながら掛止することができるので、軽微な震動程度では、移動することなく飲料容器を安定に保持することができる。
【００３８】
以上のように、本発明の着脱式カップホルダーの構造は、カップホルダー３の縦壁３４と凹み部３３の外面との隙間によって収納部２の開口縁１８を把持するので、飲料容器を安定に保持することができ、収納部２以外の空間をも好適に利用することができる。
【産業上の利用可能性】
【００３９】
本発明の着脱式カップホルダーの構造は、車両内部の車室のセンターコンソールに対して好適に応用することができるほか、グローブボックスや、サイドボックス、また、車両以外の船舶、電車、飛行機等でも利用することができる。
【符号の説明】
【００４０】
１  着脱式カップホルダーの構造
２  収納部
３  カップホルダー
１０  開口
１１  前内壁
１２  後内壁
１３  左内側壁
１４  右内側壁
１５  底面
１７、１８、１９、２０  開口縁
１７ｗ、１８ｗ  開口縁幅
１７ｇ、１８ｇ、１９ｇ  外壁
２１  蓋
３１  上板部
３２  開口部
３３  凹み部
３４、３５、３８  縦壁
３４Ｅ、３５Ｅ  縦壁の隅
３６、３７  縦壁と凹み部の外面の隙間
４４、４５、４８  返し
【図１】
0005679808.tif 000002
【図２】
0005679808.tif 000003
【図３】
0005679808.tif 000004